(57)【要約】【課題】本発明は、携帯端末と大画面の情報受信端末装置による場所に依存することなくシームレスな視聴スタイルを提供好適な技術を提供する。【解決手段】情報受信端末装置には、携帯端末に移動視聴情報を送信する手段、映像情報システムは、2人以上のユーザの要求を満足する視聴環境の制御を行い、携帯端末装置への情報受信端末装置からのコンテンツ視聴の継続のためのタイムコード情報の端末間連携とセンタ連携による、情報受信端末装置で視聴したコンテンツを継続して視聴するための携帯端末装置へのコンテンツの送受信による視聴とその逆の携帯端末装置でのコンテンツ視聴を情報受信端末で継続視聴が可能な構成とした。【選択図】  図１
2009065305.tif 000002
【特許請求の範囲】
【請求項１】
端末連携継続視聴システムであって、
映像コンテンツを送信する配信装置と、
前記配信装置から受信した映像コンテンツを出力する第１の端末と、
前記第１の端末で出力している映像コンテンツの情報を取得し、当該映像コンテンツの受信の要求情報及び前記第１の端末への映像コンテンツの視聴継続要否情報を送信する第２の端末とを含む。
【請求項２】
請求項１の端末連携継続視聴システムであって、
前記第２の端末で前記第１の端末での映像コンテンツの視聴要を送信したとき、前記第２の端末と前記第１の端末とで視聴している映像コンテンツのタイムコードを合わせるよう前記第２の端末における映像コンテンツの視聴を制御する。
【請求項３】
請求項１の端末連携継続視聴システムであって、
前記配信装置は、前記第１の端末及び前記第２の端末の種類に応じて、映像コンテンツの画質又は圧縮方式を切り替える。
【請求項４】
コンテンツの受信端末であって、
当該受信端末とは異なる受信端末でユーザに視聴させている映像コンテンツの情報を取得する取得部と、
当該映像コンテンツを配信している配信装置に対して当該映像コンテンツの受信の要求情報及び前記第１の端末への映像コンテンツの送信継続要否情報を送信する送信部とを備える。
【請求項５】
コンテンツの配信装置であって、
コンテンツを送信する送信部と、
第１の端末からコンテンツの配信の要求と前記第１の端末とは異なる第２の端末へのコンテンツの送信継続要否とを受信する受信部と、
前記受信部で前記第２の端末への送信継続否を受信したとき、前記送信部に、当該第２の端末へのコンテンツの送信を停止させ、前記第１の端末へコンテンツを送信させる制御部とを有する。
【請求項６】
端末連携継続視聴方法であって、
第１の端末でコンテンツを視聴させ、
第２の端末でのコンテンツの継続視聴の要求を受信し、
前記第２の端末で視聴させている映像コンテンツの時間情報と、前記第１の端末で視聴させている映像コンテンツの時間情報とを合わせるよう前記第２の端末における映像コンテンツの視聴を制御する。
【発明の詳細な説明】
【技術分野】
【０００１】
技術分野は、映像等のコンテンツを視聴するシステム等に関し、特に複数の装置においてネットワークを介してコンテンツを継続視聴するシステム等に関する。
【背景技術】
【０００２】
上記技術分野について、例えば特許文献１には、「端末の切替に際して、切替先の端末から改めてログインすることなく、切替元端末で視聴していたコンテンツを切替先端末でシームレスに継続して視聴できるようにすること」ことを課題とし（特許文献１［０００６］参照）、その解決手段として「コンテンツをシームレスにハンドオーバするシステム（ＭｅｔａＰＯＲＴ）と、ＴＶ−Ａｎｙｔｉｍｅ  Ｆｏｒｕｍ規定に準拠する視聴履歴管理サーバ、コンテンツメタサーバ、ロケーション解決サーバ、ＩＥＴＦ規定に準拠するプレゼンス管理サーバなどとの連携で実現する。ＭｅｔａＰＯＲＴは、切替元端末でユーザが視聴していたコンテンツのコンテキストをネットワークが引き継ぎ、切替先端末のプレゼンスに適合させて配信・再生するＳｕｓｐｅｎｄ  ａｎｄ  Ｒｅｓｕｍｅ機能をネットワークサービスとして実現する視聴継続制御サーバ（ＭｅｔａＰＯＲＴサーバ）である。ユーザには端末（ＭｅｔａＰＯＲＴ端末）の画面上で切替元／切替先端末を選択し、ハンドオーバを指示するためのユーザインタフェースを提供し、ユーザからの入力に応じてプレゼンスサーバおよびロケーション解決サーバにアクセスして、切替先端末へのシームレスなハンドオーバ機能を実現する」こと（特許文献１［０００８］参照）等が記載されている。
【０００３】
また、特許文献２には、「一般的なホームネットワーク環境でのコンテンツ視聴において、ユーザがコンテンツ視聴を中止しても、簡単に視聴を中断位置から再開できて使い勝手の良いホームネットワークＡＶサーバ及びホームネットワークＡＶサーバプログラムを提供すること」（特許文献２［０００６］参照）を課題とし、その解決手段として「…ホームネットワークＡＶサーバにおいて、前記クライアント端末に送信される前記コンテンツデータの現在の送信位置を検出するデータ送信位置検出部と、前記クライアント端末からの再生停止要求受信時に前記データ送信位置検出部から出力される前記コンテンツデータの現在の送信位置に基づいて再生停止したデータ位置を再生開始位置とする中途開始用コンテンツ情報を作成し、前記コンテンツ情報リスト記憶部に記憶させる中途開始用コンテンツ情報作成部とを備え、前記送信データ作成部は、前記クライアント端末からの視聴再生開始時に前記コンテンツ情報リスト記憶部の前記中途開始用コンテンツ情報を参照して前記再生開始位置からのコンテンツデータを送信すること」（特許文献２［０００７］参照）が記載されている。
【０００４】
【特許文献１】特開２００４−３３６３１０号公報
【特許文献２】特開２００５−３２３０６８号公報
【発明の開示】
【発明が解決しようとする課題】
【０００５】
しかし、上記特許文献１及び２では、継続視聴する場合、宅内ネットワークにおいてはセンタに設置される視聴履歴管理サーバなど、センタ設備が大規模になるとともに、視聴中断点の継続視聴開始点の差異が発生し、ユーザにとっては、送出側サーバ、切替元端末、切替先端末における視聴継続性の快適さが保つことができない（例えば視聴している映像が不連続になってしまう等の）おそれがある。
【０００６】
また、ＡＶホームサーバやホームネットワーク内での視聴環境に限定されると、場所に依存しない視聴環境の提供という携帯端末の利点を減ずるおそれがある。
【０００７】
また、例えば複数人で或るコンテンツを１つのテレビジョン受像機で視聴していた場合に、その複数人のうち一部の者が携帯端末装置による継続視聴を行い当該テレビジョン受像機から離れたとしても、残った者が継続して当該テレビジョン受像機におけるコンテンツ視聴を行いたいというニーズに対して、特許文献１と２は考慮されていない。
【課題を解決するための手段】
【０００８】
そこで例えば、家庭内のテレビジョン受像機などの受信端末装置は、家庭内においてコンテンツを提供するとともに、要求に応じて携帯端末装置におけるコンテンツの継続視聴を提供して個人毎にコンテンツを視聴可能にすることが好ましい。
【０００９】
具体的に、一実施形態として、個人ユーザに所有される携帯電話等の携帯端末装置は、ファミリーで所有するＴＶ等の受信端末装置での視聴情報を取得する手段と、その視聴情報を基にサービスセンタに設置されコンテンツ配信装置へコンテンツ要求と受信端末装置への視聴継続も継続するかどうかの制御情報とを送信するように構成する。
【００１０】
また、受信端末装置は、携帯端末装置に受信端末装置で視聴しているステータスや移動視聴のパラメータ情報を送信する手段を有する。
【００１１】
また、コンテンツ配信装置は、複数のユーザの要求を満足する視聴環境の制御を行い、携帯端末装置と受信端末装置とコンテンツ配信装置とをタイムコード情報などの移動視聴のパラメータ情報によって連携させ、受信端末装置で視聴しているコンテンツを携帯端末装置で継続視聴、又は、その逆に携帯端末装置で視聴しているコンテンツを受信端末装置で継続視聴を可能な構成とする。
【００１２】
これらの構成によれば例えば、リビングルームにおいて家族で視聴しているコンテンツを大画面の受信端末装置（例えばテレビジョン受像機）により家族で視聴しながら、各個人の手元にあって持ち歩ける携帯端末装置により、個々の都合に合わせて情報やデータを取得することが可能となる。
【発明の効果】
【００１３】
上記手段によれば、複数の装置及び／又は複数のユーザを考慮したコンテンツの継続視聴をよりスムーズに実現することができる。
【発明を実施するための最良の形態】
【００１４】
以下、本発明に好適な実施形態の例（実施例）を図面に基づいて説明する。ただし、本発明は本実施例に限定されるものではない。本実施例では、ネットワークに接続される携帯端末とデジタルＴＶなどの情報受信端末装置、コンテンツ配信装置で構成されるシステムを例示する。
【００１５】
図１は、本実施例における携帯端末連携映像移動継続視聴システムの構成例を示す。ネットワーク接続されたテレビジョン受信機（テレビ）等の情報受信端末装置１００により居間で家族全員がコンテンツ視聴しているときに、家族の一人が移動しながら又は移動先でコンテンツを携帯端末１０１で視聴するケースについて説明する。
【００１６】
図１において、情報受信端末装置１００は、ブロードバンドインターネット回線１０４を介して、コンテンツ配信装置１０３から配信された映像ストリームを受信し、コンテンツを表示する。また携帯端末１０１は、無線中継装置１０２を介して回線へ接続されており、携帯端末１０１毎の性能や機能に対応したコンテンツ視聴が可能である。ここでは、情報受信端末装置１００はテレビジョン受像機であるものとする。なお情報受信端末装置１００と携帯端末１０１とを総称して受信端末、受信端末装置、と称する。
【００１７】
情報受信端末装置１００と携帯端末１０１と配信装置１０３は、それぞれＣＰＵ、メモリ、通信ＩＦなどのハードウェアを有する。ＣＰＵは、ソフトウェアを実行し、送信処理、受信処理、及びそれらの制御などを実行する。これらを送信部、受信部、制御部とも呼ぶ。
【００１８】
本実施例では、情報受信端末装置１００は、ブロードバンドインターネット回線１０４からの映像ストリームを受信するとしているが、デジタルテレビ放送網からの映像ストリームとの両方又はいずれか一方を受信可能としてもよい。ブロードバンドインターネット回線１０４は例えばＦＴＴＨなどの光ファイバ、ＡＤＳＬ、無線ＬＡＮなどが考えられる。
【００１９】
本実施例では、情報受信端末装置１００と携帯端末１０１との間で相互画面切替を実行する。相互画面切替とは、複数の端末間においてコンテンツの視聴が行なわれる端末を切り替えることをいう。例えば、家族で共通して視聴される情報受信装置１００と家族が個人で有する携帯端末１０１との間で、携帯端末１０１のボタン操作によりコンテンツ視聴が行なわれる装置を切替、両方のディスプレイにコンテンツを表示することや、どちらか一方のディスプレイにコンテンツを表示させることを切り替えることをいう。これにより、携帯端末１０１において居間から他の部屋や宅外に移動してもコンテンツ視聴の継続を実現する。なお、表示に限らず別筐体のディスプレイに表示できるよう外部出力させることでもよい。表示と外部出力とを総称して出力ともいう。
【００２０】
携帯端末１０１は、無線中継装置１０２経由でコンテンツ配信装置１０３にインターネット１０４経由で視聴するコンテンツの選択と、送信先のアドレスを指定することで、画面の切替を行う。当該切替は、例えば携帯端末１０１が自身のアドレスまたは切り替えてコンテンツを表示する先の情報受信端末装置１００のアドレスを解析し、情報受信端末装置１００及び／又は携帯端末１０１へ映像ストリーミングを送信する要求（送信要求ともいう）を行なうことで実現される。
【００２１】
コンテンツ配信装置１０３は、携帯端末１０１からの送信要求に基づき、端末の機能に合わせた配信制御を行う構成となっており、端末の機能に合わせたコンテンツを有している場合には、コンテンツにマッピングされたＵＲＬ情報、アドレス情報を基に、切替先の情報受信端末装置１００、携帯端末１０１に送信を行う。
【００２２】
ここで例えば、コンテンツ配信装置１０３があるコンテンツについて内容は同じであるが高画質と低画質の２つのコンテンツを有している場合、当該コンテンツの送信要求があったとき、携帯端末１０１が高画質のコンテンツを表示できるかを判断する。例えば、表示可能かどうかの判断にあたって、ネットワーク接続する場合にＤＬＮＡ（Digital Living Network Alliance）で規定されているｕＰｎＰ（Universal Plug and Play）の機能を用いて、装置情報を取得し、再生できるコンテンツの種類の区別、または、装置の演算能力、映像処理能力のリソース情報をネットワーク経由で授受する。
【００２３】
携帯端末１０１には低画質のコンテンツを送信し、一方高画質のコンテンツを表示できる情報受信端末装置１００には高画質のコンテンツを送信する。また例えばコンテンツ配信装置１０３が同じ内容で異なる圧縮方式（例えばＭＰＥＧ４とＨ．２６４）である複数のコンテンツを有している場合、上記と同様に送信する装置に合わせた圧縮方式のコンテンツを選択、または変換して送信する。その他の方法としては、コンテンツ配信サービスのポータルに接続する際に機器認証を行う機能に装置に固有のＩＤ、ベンダ名などを取得する機能を設けることで、センタ側に装置ＩＤと映像処理能力のテーブルを有することでも携帯端末１０１の処理能力をもとに判断することが可能である。
【００２４】
また、携帯端末１０１は、情報受信端末装置１００で視聴するコンテンツの制御も可能である。コンテンツの制御とは、例えば情報受信端末装置１００対してコンテンツの視聴開始、停止、画面切替、移動視聴、移動継続視聴を指示することである。コンテンツの制御に合わせた設定ファイルを予め作成しておけば、当該コンテンツの制御に係る視聴操作を容易に実施することができる。この方法としては、情報受信端末装置１００に携帯端末１０１からネットワークからの制御コマンドのファイルを格納する手段を設け、一般的に使用されているリモートコントローラからの操作と携帯端末１０１からの操作コマンドのテーブルを設けることで実現可能となる。これにより情報受信端末装置１００は、リモートコントローラからの制御なのか、携帯端末１０１からの制御なのかを判断することができ、リモートコントローラと携帯端末１０１と共通化できる視聴開始、停止は、ソフトウェアの共通化が図れ、ソフトウェアの規模の低減が図れる。
【００２５】
図２は、図１のシステムにおけるシーケンスの一例を説明する。図２では、情報受信端末装置１００で視聴している場合から携帯端末１０１に表示画面を相互に切り替えるシーケンスを示している。
【００２６】
まず通常視聴として情報受信端末装置１００からコンテンツ配信システム１０３に（１）コンテンツの視聴要求を行う。この場合には、サービスポータル画面においてコンテンツを選択することで実現できるように構成されている。
【００２７】
要求に対してコンテンツ配信装置１０３は、（２）送信先確認を行い、要求を出した情報受信端末装置１００以外のターゲットとなる（送信先となる）端末装置の有無を確認する。情報受信端末装置１００からの（３）送信先返信を受信し、送信先となる端末を認識し、（４）コンテンツの送信を行う。
【００２８】
このような状況において携帯端末１０１に画面切替を実施する場合には、携帯端末１０１は、（５）移動視聴パラメータ要求を情報受信端末装置１００に送信し、情報受信端末装置１００で視聴済みのコンテンツのタイムコードを取得する要求を行う。
【００２９】
携帯端末１０１は、（６）視聴ステータス返信を受け取ることにより情報受信端末装置１００で視聴していたコンテンツの切替え後の再生を実施するためのコンテンツの切替え再生のコンテンツの先頭タイムコードを取得する。
【００３０】
移動視聴パラメータとは、現在視聴しているコンテンツの時刻を示すタイムコード、さらに視聴しているコンテンツのタイトル、過去に視聴したコンテンツをどこまで視聴完了しているかの視聴記録、再生表示可能なコンテンツの種類を判定する装置の映像処理能力が含まれてもよい。本実施例においては、現在視聴している映像コンテンツの移動視聴を実現する場合について記述したものであり、タイムコードによる移動視聴について記述している。タイムコードは、コンテンツの開始からの再生時間を示すものであってもよいし、ＤＴＳ、ＰＴＳ、ＡＴＳなどのタイムスタンプであってもよい。時間情報や同期情報ともよぶ。
【００３１】
また、ユーザによっては、同時刻からの再生よりも、３分前からの再生、直前のＣＭ後からの再生など、コンテンツの内容のストーリーに合わせた移動視聴も可能となる。視聴ステータスというのは、このようなケースへの拡張も可能であり、正確な視聴時間をタイムコードのステータスを返すだけでなく、直前のＣＭの３分後、シーンチェンジの１分後など、ユーザの視聴スタイルに対応したステータスを返すことで、よりユーザが視聴し易い移動視聴機能の実現が可能となる。先頭タイムコードは、移動視聴時の再生するときの再生する先頭を示すタイムコードであり、ユーザの要求を予めパラメータ化し、オフセットである先頭タイムコードに直前のＣＭ終了時までのタイムコードを加算し、先頭タイムコードとして設定することも可能である。
【００３２】
携帯端末１０１は、この先頭タイムコードを基に（７）画面切替視聴要求をコンテンツ配信装置１０３に行う。また、（８）情報受信端末送信装置視聴停止送信を行い、情報端末装置１００でのコンテンツ視聴の停止処理を行い、コンテンツ配信装置１０３は、（９）コンテンツをターゲットとなる携帯端末１０１に送信する。これにより、情報受信端末１０１への画面切替処理が完了する。
【００３３】
また逆に、携帯端末１０１での視聴から情報受信端末装置への切替視聴は、切替先の情報受信端末装置１００を携帯端末１０１から（１０）情報受信端末指定を行い、（１１）情報受信端末装置１００の起動を行った後にコンテンツ配信装置１０３に（１２）情報受信端末装置１００へのコンテンツ送信要求を行い、コンテンツ配信装置１０３は、（１３）コンテンツの配信を行う構成となっている。携帯端末１０１から別の携帯端末１０１に切り替えてもよい。また、切替先の情報受信端末装置１００又は別の携帯端末１０１から（５）を実行して切り替えてもよい。
【００３４】
図３は、家族の一員が携帯端末装置１００を宅外に持ち出した場合のシステムの構成例を示す。携帯網設備１０５の活用により、宅内であっても、宅外であってもコンテンツの継続視聴が可能であり、また、各種サービスの相互乗り入れも可能となる構成をとっている。例えば、センタ側に携帯網設備１０５で使用している機器固有のＩＤと宅内で視聴している際のＬＡＮ環境下でのＩＤのテーブルを持つことで、サービスの相互乗り入れが可能である。海外において携帯端末１０１に搭載されているＳＩＭカードに宅内ＬＡＮのＭＡＣアドレスを記憶することで、センタ側に移動視聴要求を出す場合にこのＭＡＣアドレスを使用し、視聴することも可能である。さらにこのＳＩＭカードを外出先で友人や親戚の携帯端末１０１に挿入することで、自分の所有する携帯端末１０１だけでなく、友人、親戚との外出先でのコンテンツ視聴も可能となる。
【００３５】
また、このカードは、メモリカードでもよい。さらに、サービスの契約有無も判定することが可能となり、期間限定無制限の自由視聴できるサービスなどサービスの種類にも柔軟に対応可能となる。
【００３６】
図４は、家族で視聴していたコンテンツを家族の一人が台所、トイレなどの宅内の移動や、外出等により携帯端末１０１で継続視聴する場合についてのシーケンス図の一例を示している。
【００３７】
図２と同様のシーケンスで（１）〜（６）の処理を行い、携帯端末１０１から（７）’移動視聴要求を行う。図２の（７）画面切替視聴要求とは情報受信端末装置１００を複数の家族で見ている場合に家庭内で家族の一人が携帯端末１０１を持って移動視聴を行っても、残った家族が情報受信端末装置１００でそのまま視聴ができる点で異なる。
【００３８】
また、（８）’情報受信端末装置継続視聴要否送信を行う。図２の（８）とは情報受信端末装置１００を複数の家族で見ている場合に家庭内で家族の1人が携帯端末１０１を持って移動視聴を行っても、残った家族が情報受信端末装置１００でそのまま視聴可能なように電源をオフしない点で異なり、一緒に情報受信端末１００でコンテンツ視聴していた家族の快適な視聴を妨げることなく、実現することも可能である。
【００３９】
（８）’において「要」の処理を行うことで情報受信端末装置１００において継続して視聴する家族に影響与えることなく、情報受信端末装置１００での継続視聴も可能となる。
【００４０】
（８）’において「否」の処理を行うと、情報受信端末装置１００の電源をオフすることができ、一人暮らしで携帯端末１０１を持って移動視聴を行う際に、一連の作業を行うことなく、移動視聴ができ、また、この機能を逆に利用することで、帰宅時に移動視聴指示を行うことで、情報受信端末装置１００の電源のオンを行い、即座にコンテンツの視聴が可能となる。
【００４１】
なお、図４ではコンテンツ配信装置１０３に対して、情報受信端末装置継続視聴要否を送信しているが、情報受信端末装置１００に対して送信し、「否」の場合には情報受信端末装置１００で表示若しくは受信を停止、又は、情報受信端末装置１００から配信装置１０３に送信の停止をさせるようにしてもよい。この場合は、情報受信端末装置１００をサービス対象として限定される場合に有効で、情報受信端末装置１００内の記憶装置に視聴履歴を蓄積することで、一元管理することが可能となり、悪質なコンテンツサービス事業者からの不法請求などの被害を回避したり、家族の視聴制限をかけたり、悪質コンテンツの視聴を防止することも可能である。ただし、管理情報を蓄積するための記憶エリアが必要となり、装置のコストアップ、コンテンツの録画、ダウンロードの記憶容量が減少するとともに、情報が多くなると管理が面倒になることも考えられる。
【００４２】
コンテンツ配信装置１０３は、携帯端末１０１からの（７）情報受信端末装置継続要否情報により、同一コンテンツの複数のコンテンツストリームの配信機能で構成される。携帯端末１０１の台数は、1台に限定されない。
【００４３】
また、携帯端末１０１に移動視聴を開始するタイムコードの演算機能を設けることで、例えば移動視聴要求の先頭タイムコードの取得した値に対し、システムに応じてn秒前の独自のタイムコード演算を加えることで、コンテンツの内容を阻害することなく、移動視聴を実現することが可能となる。これにより複数の受信端末（携帯端末１０１と情報受信端末装置１００）で視聴させた場合に、それら受信端末におけるコンテンツの時間的なズレにも対応可能となる。
【００４４】
例えば、或るユーザが家族と居間にて情報受信端末装置１００で視聴していて、トイレと自分の部屋に携帯端末１０１を持って行って視聴し、また居間に戻ってきて家族と情報受信端末装置１００で視聴する場合に、例えばトイレや自分の部屋に移動する間や機器を操作している等の時間分、情報受信端末装置１００と携帯端末１０１とで視聴させているコンテンツに時間的なズレが生じてしまう。するとこのユーザが居間に戻ってきたときに情報受信端末装置１００で視聴させているコンテンツが携帯端末１０１よりも進んでしまっていて携帯端末１０１のユーザが情報受信端末装置１００での視聴に戻れない又は見逃すシーンが出てしまう懸念がある。
【００４５】
この点、例えば、情報受信端末装置１００と携帯端末１０１でそれぞれ視聴させているコンテンツのタイムコードを合わせるように（ただし完全に一致する必要はない）、携帯端末１０１に受信ビットレートのモニタリング機能と、そのビットレートの結果を基にIフレームだけを再生するなど再生スピードを変化させたりＣＭをスキップさせたりの制御を行い、携帯端末１０１と情報受信端末装置１００の視聴の同期を図ることが可能となる。この動作は、携帯端末１０１を主体に実行してもよいし、配信装置１０３を主体に実行してもよい。
【００４６】
また、携帯端末１０１のＧＰＳ機能などで情報受信端末装置との距離をモニタすることで、携帯端末１０１が情報受信端末に近づくにつれて視聴コンテンツの同期を図ることも可能である。この機能を用いることで、外出先からの携帯網サービスから、宅内の無線ＬＡＮ環境への接続切替も可能となる。
【００４７】
また、本実施例の画面切替時に、コンテンツ（番組）のストーリー性を喚起させるために切替して視聴開始時に故意に切替直前と視聴同様のシーンを所定時間オーバーラップさせ、コンテンツのストーリー性を維持する機能も実現できる構成となっている。
【００４８】
これらの移動継続視聴の機能と、情報受信端末装置１００から携帯端末１０１、その逆への画面切替機能により、宅内だけでなく、携帯端末１０１の特性を活かした宅外でも移動継続視聴が可能となり、携帯端末１０１とＴＶなどの情報受信端末装置１００による大画面の情報受信端末１００と携帯端末１０１間でのシームレスなコンテンツ視聴スタイルが実現できる。
【００４９】
また、外出先において携帯端末１０１が搭載されているカメラ機能により映像や情報などのキャプチャ機能を有し、センタ経由で情報受信端末装置１００に送信することも可能である構成となっている。移動視聴先を祖父母宅の情報受信端末装置１００に設定しておくと、携帯網を経由して孫の映像を祖父母宅の遠隔地での情報受信端末１００への視聴も実現することも可能となる。
【００５０】
ターゲットとなる情報受信端末１００がネットワークに接続されていることで、ユーザが所望する情報受信端末装置１００への装置への移動視聴も可能である。
【００５１】
図５は、携帯端末１０１での操作画面の一例を示している。視聴、停止、一時停止などのリモートコントロールのメニューと２つの端末装置での視聴スタイルを切り替えるための画面切替、移動視聴、移動継続視聴のメニューを携帯端末１０１で表示し、操作性の高いシステムの構成となっている。これらのメニューの選択を検知することで、図２や図４のシーケンスにおける各処理が実行される。
【００５２】
このメニュー画面は、センタ側のポータル画面として実現しても、端末側のアプリケーションとして実現しても構わない。
【図面の簡単な説明】
【００５３】
【図１】携帯端末連携映像移動継続視聴システムの構成例を示す図。
【図２】画面切替のプロトコルシーケンスの一例を示す図。
【図３】宅内、宅外での移動視聴を実現する携帯端末連携映像移動継続視聴システムの構成例を示す図。
【図４】移動継続視聴のプロトコルシーケンスの一例を示す図。
【図５】操作画面のメニューの表示例を示す図。
【符号の説明】
【００５４】
100…情報受信端末装置、101…携帯端末、102…無線中継装置、103…コンテンツ配信装置、104…インターネット、105…携帯網設備、601…操作画面、602…視聴、603…停止、604…一時停止、605…画面切替、606…移動視聴、607…移動継続視聴
【図１】
2009065305.tif 000003
【図２】
2009065305.tif 000004
【図３】
2009065305.tif 000005
【図４】
2009065305.tif 000006
【図５】
2009065305.tif 000007